(57)【要約】【課題】若者が進入禁止領域に留まってしまうことを防ぐことができる乗客コンベヤを得る。【解決手段】下部入り込み口２ａの近傍に位置する第１の下部進入禁止領域と、下部乗降口側の移動手摺３の部分の近傍であってエスカレータ本体の幅方向外側に位置する第２の下部進入禁止領域とに向かってモスキート音を発する下部スピーカ９と、上部入り込み口２ｂの近傍に位置する第１の上部進入禁止領域と、上部乗降口側の移動手摺３の部分の近傍であってエスカレータ本体の幅方向外側に位置する第２の上部進入禁止領域とに向かってモスキート音を発する上部スピーカ１７とを備えている。【選択図】図１
2011184137.tif 000002
【特許請求の範囲】
【請求項１】
乗客コンベヤ本体と、
前記乗客コンベヤ本体の周囲に設定された所定の進入禁止領域に向かってモスキート音を発するスピーカを有したモスキート音発生装置とを備えたことを特徴とする乗客コンベヤ。
【請求項２】
前記進入禁止領域は、欄干における移動手摺の入り込み口の近傍に位置する領域、前記移動手摺の近傍で前記乗客コンベヤ本体の幅方向外側に位置する領域および天井から吊り下げられたデルタガードの近傍に位置する領域の少なくとも何れか１つであることを特徴とする請求項１に記載の乗客コンベヤ。
【請求項３】
前記進入禁止領域における被検出体を検出する検出装置をさらに備え、
前記スピーカは、前記検出装置の状態が前記被検出体を検出している検出状態であるときに前記モスキート音を発し、前記検出装置の状態が前記被検出体の検出を解除している非検出状態であるときに前記モスキート音を発することを停止することを特徴とする請求項２に記載の乗客コンベヤ。
【請求項４】
前記検出装置は、前記進入禁止領域へ向けて光を放つ投光器と、前記進入禁止領域を通過した前記光を受ける受光器とを有し、
前記投光器および前記受光器の何れか一方は、乗降口のポストに設けられていることを特徴とする請求項３に記載の乗客コンベヤ。
【請求項５】
前記モスキート音は、前記進入禁止領域のみに放射される指向性を有していることを特徴とする請求項１ないし請求項４の何れか１項に記載の乗客コンベヤ。
【請求項６】
前記スピーカは、乗降口のポストに設けられていることを特徴とする請求項１ないし請求項５の何れか１項に記載の乗客コンベヤ。
【発明の詳細な説明】
【技術分野】
【０００１】
この発明は、スピーカを備えた乗客コンベヤに関する。
【背景技術】
【０００２】
従来のエスカレータでは、乗客に注意喚起を行うために、乗降口のポストにスピーカが設けられていることがある。このエスカレータでは、ポストを通過する乗客に対して、スピーカから音声が発せられる（例えば、特許文献１参照）。
【先行技術文献】
【特許文献】
【０００３】
【特許文献１】特開２００９−４６２３６号公報
【発明の概要】
【発明が解決しようとする課題】
【０００４】
一般に、エスカレータでは、移動手摺が入り込む欄干の入り込み口の近傍や移動手摺の外側等の領域は、乗客が進入すべきでない進入禁止領域とされている。従来のエスカレータでは、スピーカの位置がポストの位置であるので、進入禁止領域には、スピーカからの注意喚起が及ばないことがある。したがって、進入禁止領域で若者が遊んだりしている場合には、若者が進入禁止領域に長時間留まってしまうという問題点があった。
【０００５】
この発明は、若者が進入禁止領域に留まってしまうことを防ぐことができる乗客コンベヤを提供するものである。
【課題を解決するための手段】
【０００６】
この発明に係る乗客コンベヤは、乗客コンベヤ本体と、前記乗客コンベヤ本体の周囲に設定された所定の進入禁止領域に向かってモスキート音を発するスピーカを有したモスキート音発生装置とを備えている。
【発明の効果】
【０００７】
この発明に係る乗客コンベヤによれば、モスキート音が進入禁止領域に向かって発せられるので、若者が進入禁止領域に留まってしまうことを防ぐことができる。
【図面の簡単な説明】
【０００８】
【図１】この発明の実施の形態１に係るエスカレータを示す側面図である。
【図２】図１のエスカレータの下部乗降口を示す正面図である。
【図３】図１の各検出装置と各スピーカとの関係を示すブロック図である。
【図４】この発明の実施の形態２に係るエスカレータを示す側面図である。
【図５】この発明の実施の形態３に係るエスカレータを示す側面図である。
【図６】図５のエスカレータの要部を示す拡大図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエスカレータ（乗客コンベヤ）を示す側面図、図２は図１のエスカレータの下部乗降口を示す正面図である。図において、エスカレータの主枠には、上部乗降口と下部乗降口との間を循環移動する複数の踏段１が支持されている。主枠上には、主枠の幅方向両端部に配置された一対の欄干２が設けられている。各欄干２には、欄干２の外周部に沿って循環移動する移動手摺３が支持されている。各踏段１および各移動手摺３は、主枠の上端部内に設けられた駆動モータ４の駆動力により、互いに同期して移動する。エスカレータ本体は、踏段１、欄干２および移動手摺３を備えている。
【００１１】
下部乗降口の近傍に位置する欄干２の部分の下部には、移動手摺３の下部入り込み口（下部インレット部）２ａが設けられている。上部乗降口の近傍に位置する欄干２の部分の下部には、移動手摺３の上部入り込み口（上部インレット部）２ｂが設けられている。
【００１２】
移動手摺３は、エスカレータを側方から視たときに、エスカレータの中間部で下部乗降口が設けられている階の天井５と交差している。天井５には、天井５と移動手摺３との間に乗客が挟まれることを防ぐためのデルタガード６が吊り下げられている。デルタガード６は、天井５と移動手摺３との交差部の近傍に配置されている。
【００１３】
エスカレータ本体の周囲には、乗客が進入すべきでない所定の進入禁止領域が設定されている。この例では、下部入り込み口２ａの近傍に位置する第１の下部進入禁止領域と、下部乗降口側の移動手摺３の部分の近傍でエスカレータ本体の幅方向外側に位置する第２の下部進入禁止領域と、上部入り込み口２ｂの近傍に位置する第１の上部進入禁止領域と、上部乗降口側の移動手摺３の部分の近傍でエスカレータ本体の幅方向外側に位置する第２の上部進入禁止領域とが進入禁止領域として設定されている。
【００１４】
下部乗降口が設けられている階には、第１の下部進入禁止領域への被検出体の進入を検出する第１の下部検出装置７と、第２の下部進入禁止領域への被検出体の進入を検出する第２の下部検出装置８と、第１の下部進入禁止領域および第２の下部進入禁止領域のそれぞれに向かってモスキート音を発する共通の下部スピーカ９とが設けられている。下部スピーカ９は、天井５に取り付けられている。
【００１５】
第１の下部検出装置７は、天井５に取り付けられ光を放つ第１の下部投光器１０と、下部乗降口が設けられている階の床１１に取り付けられ、第１の下部投光器１０からの光を受ける第１の下部受光器１２とを有している。第１の下部投光器１０からの光は、第１の下部受光器１２へ達するまでの間に、第１の下部進入禁止領域を通過する。第１の下部投光器１０から第１の下部受光器１２へ向かった光は、第１の下部進入禁止領域に進入する被検出体により遮られる。したがって、第１の下部検出装置７の状態は、第１の下部受光器１２による受光が停止されることにより被検出体を検出している検出状態となり、また、第１の下部受光器１２の受光が行われることにより被検出体の検出を解除している非検出状態となる。即ち、第１の下部検出装置７は、第１の下部受光器１２による受光の有無に基づいて、第１の下部進入禁止領域における被検出体の有無を検出する。
【００１６】
第２の下部検出装置８は、天井５に取り付けられ光を放つ第２の下部投光器１３と、床１１に取り付けられ、第２の下部投光器１３からの光を受ける第２の下部受光器１４とを有している。第２の下部投光器１３からの光は、第２の下部受光器１４へ達するまでの間に、第２の下部進入禁止領域を通過する。第２の下部投光器１３から第２の下部受光器１４へ向かった光は、第２の下部進入禁止領域に進入する被検出体により遮られる。したがって、第２の下部検出装置８の状態は、第２の下部受光器１４による受光が停止されることにより被検出体の検出を検出している検出状態となり、また、第２の下部受光器１４の受光が行われることにより被検出体の検出を解除している非検出状態となる。即ち、第２の下部検出装置８は、第２の下部受光器１４による受光の有無に基づいて、第２の下部進入禁止領域における被検出体の有無を検出する。
【００１７】
上部乗降口が設けられている階には、第１の上部進入禁止領域への被検出体の進入を検出する第１の上部検出装置１５と、第２の上部進入禁止領域への被検出体の進入を検出する第２の上部検出装置１６と、第１の上部進入禁止領域および第２の上部進入禁止領域のそれぞれに向かってモスキート音を発する共通の上部スピーカ１７とが設けられている。上部スピーカ１７は、上部乗降口が設けられている階の天井１８に取り付けられている。
【００１８】
第１の上部検出装置１５は、天井１８に取り付けられ光を放つ第１の上部投光器１９と、上部乗降口が設けられている階の床２０に取り付けられ、第１の上部投光器１９からの光を受ける第１の上部受光器２１とを有している。第１の上部投光器１９からの光は、第１の上部受光器２１へ達するまでの間に、第１の上部進入禁止領域を通過する。第１の上部投光器１９から第１の上部受光器２１へ向かった光は、第１の上部進入禁止領域に進入する被検出体により遮られる。したがって、第１の上部検出装置１５の状態は、第１の上部受光器２１による受光が停止されることにより被検出体を検出している検出状態となり、また、第１の上部受光器２１の受光が行われることにより被検出体の検出を解除している非検出状態となる。即ち、第１の上部検出装置１５は、第１の上部受光器２１による受光の有無に基づいて、第１の上部進入禁止領域における被検出体の有無を検出する。
【００１９】
第２の上部検出装置１６は、天井１８に取り付けられ光を放つ第２の上部投光器２２と、床２０に取り付けられ、第２の上部投光器２２からの光を受ける第２の上部受光器２３とを有している。第２の上部投光器２２からの光は、第２の上部受光器２３へ達するまでの間に、第２の上部進入禁止領域を通過する。第２の上部投光器２２から第２の上部受光器２３へ向かった光は、第２の上部進入禁止領域に進入する被検出体により遮られる。したがって、第２の上部検出装置１６の状態は、第２の上部受光器２３による受光が停止されることにより被検出体の検出を検出している検出状態となり、また、第２の上部受光器２３の受光が行われることにより被検出体の検出を解除している非検出状態となる。即ち、第２の上部検出装置１６は、第２の上部受光器２３による受光の有無に基づいて、第２の上部進入禁止領域における被検出体の有無を検出する。
【００２０】
図３は図１の各検出装置と各スピーカとの関係を示すブロック図である。第１の下部検出装置７、第２の下部検出装置８、第１の上部検出装置１５および第２の上部検出装置１６のそれぞれは、制御回路２４により制御される。第１の下部検出装置７、第２の下部検出装置８、第１の上部検出装置１５および第２の上部検出装置１６のそれぞれからの情報は、制御回路２４へ送られる。制御回路２４は、各検出装置からの情報に応じた指令をモスキート音放射制御器２５へ送る。具体的には、制御回路２４は、第１の下部検出装置７および第２の下部検出装置８の少なくとも何れかによって被検出体が検出されたときに、モスキート音を下部スピーカ９に発生させる指令をモスキート音放射制御器２５へ送り、また、第１の上部検出装置１５および第２の上部検出装置１６の少なくとも何れかによって被検出体が検出されたときに、モスキート音を上部スピーカ１７に発生される指令をモスキート音放射制御器２５へ送る。
【００２１】
モスキート音放射制御器２５は、制御回路２４からの指令に応じて下部スピーカ９および上部スピーカ１７を制御する。モスキート音を発生するモスキート音発生装置は、下部スピーカ９、上部スピーカ１７およびモスキート音放射制御器２５を有している。モスキート音の周波数は、若者にのみ聞こえるとされる１７ｋＨｚ程度の周波数である。また、モスキート音は、進入禁止領域のみに放射される程度の指向性（超指向性）を有している。これにより、モスキート音が進入禁止領域外にまで及ぶことが防がれる。
【００２２】
次に、動作について説明する。各投光器１０、１３、１９、２２からは、制御回路２４の制御により、対応する各受光器１２、１４、２１、２３に向かった光が常時放射されている。各進入禁止領域の何れにも乗客が進入していないときには、各投光器１０、１３、１９、２２からの光が遮られることがないので、すべての検出装置７、８、１５、１６の状態が非検出状態となっている。したがって、このときには、各スピーカ９、１７からのモスキート音の発生が停止されている。
【００２３】
各進入禁止領域の少なくとも何れかに乗客が進入すると、各検出装置７、８、１５、１６のうち乗客が進入した進入禁止領域に対応する検出装置の状態が検出状態となる。これにより、乗客が進入した進入禁止領域に対応するスピーカからモスキート音が発せられる。
【００２４】
以上説明したように、この発明の実施の形態１に係るエスカレータによれば、モスキート音がスピーカから進入禁止領域に向かって発せられるようになっているので、進入禁止領域に進入した若者に対してモスキート音による警告を行うことができる。これにより、若者が進入禁止領域に留まってしまうことを防止することができる。また、モスキート音が進入禁止領域外にまで及んだ場合であっても、モスキート音は、若者ではない乗客等にとって聞こえにくい音であるので、若者ではない乗客等を驚かせることを防ぐことができる。
【００２５】
また、進入禁止領域は、下部入り込み部２ａの近傍に位置する第１の下部進入禁止領域、下部乗降口側の移動手摺３の部分の近傍でエスカレータ本体の幅方向外側に位置する第２の下部進入禁止領域、上部入り込み部２ｂの近傍に位置する第１の上部進入禁止領域および上部乗降口側の移動手摺３の部分の近傍でエスカレータ本体の幅方向外側に位置する第２の上部進入禁止領域とされているので、若者が特に遊びなどで進入しやすい進入禁止領域で若者が留まることを効果的に防止することができる。また、第１の下部進入禁止領域および第１の上部進入禁止領域が進入禁止領域として設定されているので、若者が入り込み口２ａおよび入り込み口２ｂに手を入れてしまうことを防ぐことができる。さらに、第２の下部進入禁止領域および第２の上部進入禁止領域が進入禁止領域として設定されているので、若者が移動手摺３をエスカレータの外側から掴むことも防ぐことができる。
【００２６】
また、スピーカは検出装置が被検出体を検出しているときにモスキート音を発し、検出装置による被検出体の検出が解除されているときにスピーカからモスキート音が発せられることが停止されるので、不要なモスキート音が発せられることを防ぐことができる。
【００２７】
また、モスキート音は、進入禁止領域のみに放射される程度の指向性を有しているので、モスキート音が進入禁止領域外にまで及ぶことが防がれる。これにより、進入禁止領域外にいる若者にモスキート音が及ぶことにより若者に不快感を与えることを防ぐことができる。
【００２８】
なお、上記実施の形態１では、検出装置を備えたエスカレータの構成について説明したが、検出装置を備えないエスカレータの構成であってもよい。この場合、下部スピーカ９および上部スピーカ１７から、常にモスキート音が発せられる。
【００２９】
また、上記実施の形態１では、検出装置として、第１の下部検出装置７、第２の下部検出装置８、第１の上部検出装置１５および第２の上部検出装置１６が用いられたエスカレータの構成について説明しているが、第１の下部検出装置７、第２の下部検出装置８、第１の上部検出装置１５および第２の上部検出装置１６のうちの１つから３つが用いられたエスカレータであってもよい。
【００３０】
また、上記実施の形態１では、第１の下部進入禁止領域、第２の下部進入禁止領域、第１の上部進入禁止領域および第２の上部進入禁止領域のうちの何れかで被検出体が検出された場合には、被検出体が検出された進入禁止領域に対応するスピーカのみからモスキート音が発せられるエスカレータの構成について説明したが、第１の下部進入禁止領域、第２の下部進入禁止領域、第１の上部進入禁止領域および第２の上部進入禁止領域の何れかで被検出体が検出された場合には、全てのスピーカ９、１７から進入禁止領域に向かってモスキート音が発せられるエスカレータであってもよい。
【００３１】
また、上記実施の形態１では、乗客コンベヤとしてエスカレータを例に説明したが、動く歩道であってもよい。
【００３２】
実施の形態２．
図４はこの発明の実施の形態２に係るエスカレータを示す側面図である。図において、進入禁止領域として、デルタガード６の近傍に位置する中間部進入禁止領域がさらに設定されている。
【００３３】
下部乗降口が設けられている階には、中間部進入禁止領域への被検出体の進入を検出する中間部検出装置２６と、中間部進入禁止領域に向かってモスキート音を発する中間部スピーカ２７とが設けられている。中間部スピーカ２７は、天井５に取り付けられている。
【００３４】
中間部検出装置２６は、天井５に取り付けられ光を放つ中間部投光器２８と、欄干２に取り付けられ、中間部投光器２８からの光を受ける中間部受光器２９とを有している。中間部投光器２８からの光は、中間部受光器２９へ達するまでの間に、中間部進入禁止領域を通過する。中間部投光器２８から中間部受光器２９へ向かった光は、中間部進入禁止領域に進入する被検出体により遮られる。したがって、中間部検出装置２６の状態は、中間部受光器２９による受光が停止されることにより被検出体を検出している検出状態となり、また、中間部受光器２９の受光が行われることにより被検出体の検出を解除している非検出状態となる。即ち、中間部検出装置２６は、中間部受光器２９による受光の有無に基づいて、中間部進入禁止領域における被検出体の有無を検出する。
【００３５】
中間部検出装置２６は、制御回路２４により制御される。中間部検出装置２６からの情報は、制御回路２４へ送られる。制御回路２４は、第１の下部検出装置７、第２の下部検出装置８、第１の上部検出装置１５、第２の上部検出装置１６および中間部検出装置２６のそれぞれからの情報に応じた指令をモスキート音放射制御器２５へ送る。具体的には、制御回路２４は、中間部検出装置２６によって被検出体が検出されたときには、モスキート音を中間部スピーカ２７に発生させる指令をモスキート音放射制御器２５へ送る。
【００３６】
モスキート音放射制御器２５は、制御回路２４からの指令に応じて下部スピーカ９、上部スピーカ１７および中間部スピーカ２７を制御する。モスキート音発生装置は、中間部スピーカ２７をさらに有している。その他の構成は、実施の形態１と同様である。
【００３７】
以上説明したように、この発明の実施の形態２に係るエスカレータによれば、中間部進入禁止領域が進入禁止領域として設定されているので、若者がデルタガード６に当たってしまうことを防ぐことができる。
【００３８】
なお、上記実施の形態２では、検出装置を備えたエスカレータの構成について説明したが、検出装置を備えないエスカレータの構成であってもよい。この場合、下部スピーカ９、上部スピーカ１７および中間部スピーカ２７から、常にモスキート音が発せられる。
【００３９】
また、上記実施の形態２では、検出装置として、第１の下部検出装置７、第２の下部検出装置８、第１の上部検出装置１５、第２の上部検出装置１６および中間部検出装置２６が用いられたエスカレータの構成について説明しているが、第１の下部検出装置７、第２の下部検出装置８、第１の上部検出装置１５、第２の上部検出装置１６および中間部検出装置２６のうちの１つから４つが用いられたエスカレータであってもよい。
【００４０】
また、上記実施の形態２では、中間部進入禁止領域で被検出体が検出された場合には、中間部進入禁止領域にのみモスキート音が発せられるエスカレータの構成について説明したが、中間部進入禁止領域で被検出体が検出された場合に、全ての進入禁止領域に向かってモスキート音が発せられるエスカレータであってもよい。また、第１の下部進入禁止領域、第２の下部進入禁止領域、第１の上部進入禁止領域および第２の上部進入禁止領域の何れか１つで被検出体が検出された場合に、中間部進入禁止領域に向かってモスキート音が発せられるエスカレータであってもよい。
【００４１】
実施の形態３．
図５はこの発明の実施の形態３に係るエスカレータを示す側面図、図６は図５のエスカレータの要部を示す拡大図である。図において、下部乗降口には、下部ポスト３０が設けられている。下部ポスト３０は床１１に立てられている。第１の下部投光器１０、第２の下部投光器１３および下部スピーカ９は、下部ポスト３０の内部に収納されている。
【００４２】
上部乗降口には、上部ポスト３１が設けられている。上部ポスト３１は、床２０に立てられている。第１の上部投光器１９、第２の上部投光器２２および上部スピーカ１７は、上部ポスト３１の内部に収納されている。その他の構成は、実施の形態１と同様である。
【００４３】
以上説明したように、この発明の実施の形態３に係るエスカレータによれば、第１の下部投光器１０、第２の下部投光器１３および下部スピーカ９は、下部ポスト３０の内部に収納されているので、第１の下部投光器１０、第２の下部投光器１３および下部スピーカ９を設置する作業が容易となり、設置コストを低減させることができる。また、第１の上部投光器１９、第２の上部投光器２２および上部スピーカ１７は、上部ポスト３１の内部に収納されているので、第１の上部投光器１９、第２の上部投光器２２および上部スピーカ１７を設置する作業が容易となり、設置コストを低減させることができる。
【００４４】
なお、上記実施の形態３では、乗客コンベヤとしてエスカレータを例に説明したが、動く歩道であってもよい。
【００４５】
また、上記実施の形態３では、第１の下部投光器１０、第２の下部投光器１３および下部スピーカ９の全てが下部ポスト３０の内部に収納されたエスカレータの構成について説明したが、第１の下部投光器１０、第２の下部投光器１３および下部スピーカ９のうちの１つまたは２つが下部ポスト３０の内部に収納されたエスカレータの構成であってもよい。
【００４６】
また、上記実施の形態３では、第１の上部投光器１９、第２の上部投光器２２および上部スピーカ１７の全てが上部ポスト３１の内部に収納されたエスカレータの構成について説明したが、第１の上部投光器１９、第２の上部投光器２２および上部スピーカ１７のうちの１つまたは２つが上部ポスト３１の内部に収納されたエスカレータの構成であってもよい。
【００４７】
また、上記実施の形態３では、第１の下部投光器１０および第２の下部投光器１３が下部ポスト３０の内部に収納されたエスカレータの構成について説明したが、第１の下部受光器１２および第２の下部受光器１４が下部ポスト３０の内部に収納されたエスカレータの構成であってもよい。
【００４８】
また、上記実施の形態３では、第１の上部投光器１９および第２の上部投光器２２が上部ポスト３１の内部に収納されたエスカレータの構成について説明したが、第１の上部受光器２１および第２の上部受光器２３が上部ポスト３１の内部に収納されたエスカレータの構成であってもよい。
【００４９】
また、各上記実施の形態では、進入禁止領域外にまで及ぶことが防がれる程度の指向性を有したモスキート音について説明したが、進入禁止領域外にまで及ぶモスキート音であってもよい。
【００５０】
また、各上記実施の形態では、検出装置として、光電センサを例に説明したが、これに限らない。
【符号の説明】
【００５１】
１  踏段、２  欄干、２ａ  入り込み口、２ｂ  入り込み口、３  移動手摺、４  駆動モータ、５  天井、６  デルタガード、７  第１の下部検出装置、８  第２の下部検出装置、９  下部スピーカ、１０  第１の下部投光器、１１  床、１２  第１の下部受光器、１３  第２の下部投光器、１４  第２の下部受光器、１５  第１の上部検出装置、１６  第２の上部検出装置、１７  上部スピーカ、１８  天井、１９  第１の上部投光器、２０  床、２１  第１の上部受光器、２２  第２の上部投光器、２３  第２の上部受光器、２４  制御回路、２５  モスキート音放射制御器、２６  中間部検出装置、２７  中間部スピーカ、２８  中間部投光器、２９  中間部受光器、３０  下部ポスト、３１  上部ポスト。
【図１】
2011184137.tif 000003
【図２】
2011184137.tif 000004
【図３】
2011184137.tif 000005
【図４】
2011184137.tif 000006
【図５】
2011184137.tif 000007
【図６】
2011184137.tif 000008